(57)【要約】【課題】コンタリング研削砥石車のドレス成形を容易に、かつ、正確に行うことができる砥石車ドレス成形機構。【解決手段】主軸台２と心押台３によりチャックされたワ−クｗの水平軸方向に平行な軸回りに回転するロ−タリ−ドレッサ２１を心押台に対向する右側に設け、粗単石ダイヤモンド刃２２と精単石ダイヤモンド刃２３を砥石台１０側に向けて備える砥石成形機構を備える円筒研削装置１。【選択図】      図１
2004255513.tif 000002
【特許請求の範囲】
【請求項１】
左右方向（Ｚ軸方向）に移動可能な左右移動テ−ブル上に固定された主軸台と心押台、ベッド上に前後方向（Ｘ軸方向）に移動可能な前後移動テ−ブル上に設けられた砥石台、該砥石台に設けられた砥石頭の砥石軸に軸承された砥石車、前記主軸台の後面に設けられた砥石成形機構支持ブロックであって、この支持ブロックは前記主軸台と心押台によりチャックされたワ−クの水平軸方向に平行な軸回りに回転するロ−タリ−ドレッサを心押台に対向する右側に設け、粗単石ダイヤモンド刃と精単石ダイヤモンド刃を砥石台側に向けて備える砥石成形機構を支持するブロックであることを特徴とする、円筒研削装置。
【発明の詳細な説明】
【０００１】
【発明の属する技術分野】
本発明は、円筒状ワ−クの円筒部に粗研削、精研削およびコンタリング研削を施して自動車部品のクランプやダンベルを加工する円筒研削装置に関するものであり、特にこの円筒研削装置がロ−タリ−ドレッサと単石ダイヤモンド刃の複数を備えていることに特色を有する。
【０００２】
【従来の技術】
円筒状ワ−クの回転軸線に対し平行なストレ−ト部と傾斜したテ−パ−部が設けられた砥石車を用い、先ず砥石車を円筒状ワ−クに対し回転軸線と直交するプランジ方向に移動させ粗研削、精研削を行った後、ついで砥石車をワ−クの回転軸線と平行なトラバ−ス方向でテ−パ−部もしくはＲ部のある向きに移動し円筒部およびこれに隣接する隅部にコンタリング研削を施して自動車部品を加工する円筒研削装置は知られている（例えば特許文献１参照）。この研削加工時に磨耗した砥石車を成形（ドレッシング）するために首振り単石ダイヤモンド刃を使用することも知られている（例えば特許文献２参照）。また、単石ダイヤモンド刃３個を支持ブロックの左右側面および上面に設けた３頭ドレッシング機構を使用し、平砥石車の右側面、左側面および外周面を成形することも知られている（例えば特許文献３参照）。
【０００３】
【特許文献１】
特開平８−９０４０８号公報（第３−６頁および図１、図１０参照。）
【特許文献２】
ＵＳＰ４６２４２３６明細書（第２−４頁および図１、図３参照。）
【特許文献３】
特開平５−８１７２号公報（第５頁および図３０参照。）
【０００４】
【発明が解決しようとする課題】
前記特許文献２に開示される１個の単石ダイヤモンド刃で砥石車を成形する円筒研削装置では、砥石車の外周面を成形するには良いが、砥石車の左右側面を成形することが困難である。
前記特許文献３の３頭単石ダイヤモンド刃を有する３頭ドレッシング機構は砥石車の外周面、左右側面を成形することができるが、砥石車の傾斜部またはＲ面部を成形するのに砥石車の複雑な移動を要し、また、粗成形と精成形を同一の単石ダイヤモンド刃で行うため、砥石車の回転数や移動速度を変えて行う必要があり、作業者の熟練が要るかドレス成形プログラミングソフトの作成が困難であった。
【０００５】
本発明者は、砥石車成形（ドレッシング）機構として、成形研削装置の砥石車の成形に用いられているロ−タリ−ドレッサをコンタリング研削砥石車の傾斜部またはＲ面の成形に用いることできることに着目し、これに単石ダイヤモンド刃を組み合すことにより円筒研削装置の砥石車の成形を容易とすることが可能である結論に達し、本発明に到った。
【０００６】
【０００７】
【課題を解決するための手段】
請求項１に記載の発明は、左右方向（Ｚ軸方向）に移動可能な左右移動テ−ブル上に固定された主軸台と心押台、ベッド上に前後方向（Ｘ軸方向）に移動可能な前後移動テ−ブル上に設けられた砥石台、該砥石台に設けられた砥石頭の砥石軸に軸承された砥石車、前記主軸台の後面に設けられた砥石成形機構支持ブロックであって、この支持ブロックは前記主軸台と心押台によりチャックされたワ−クの水平軸方向に平行な軸回りに回転するロ−タリ−ドレッサを心押台に対向する右側に設け、粗単石ダイヤモンド刃と精単石ダイヤモンド刃を砥石台側に向けて備える砥石成形機構を支持するブロックであることを特徴とする、円筒研削を提供するものである。
【０００８】
粗単石ダイヤモンド刃または精単石ダイヤモンド刃でコンタリング研削砥石車の回転軸に平行な外周部分を粗ドレス成形または精ドレス成形し、ロ−タリ−ドレッサで研削砥石車の傾斜部またはＲ面をコンタリング成形することで粗ドレス成形または精ドレス成形を行う。ロ−タリ−ドレッサで砥石車をコンタリング成形するとき、砥石車またはロ−タリ−ドレッサの移動速度および／または回転数を変えることにより粗ドレス成形または精ドレス成形することができる。
【０００９】
【発明の実施の形態】
【実施例】
以下、図面を用いて本発明をさらに詳細に説明する。
図１は円筒研削装置の平面図、図２は円筒研削装置の正面図、図３は円筒研削装置の左側面図、および図４は砥石車を砥石車成形機構で成形する状態を示す図である。
【００１０】
図１、図２および図３において、１は円筒研削装置、ｗはワ−ク、２は主軸台、２ａは３爪スクロ−ルチャック、３は心押台、４は左右方向（Ｚ軸方向）に移動可能な左右移動テ−ブル、５はリニアエンコ−ダ付サ−ボモ−タ、６はロ−タリ−エンコ−ダ付サ−ボモ−タ、７はフレ−ム、８はタイミングベルトである。主軸台２と心押台３はリニアエンコ−ダ付サ−ボモ−タの回転駆動を受けて左右方向（Ｚ軸方向）に移動可能な左右移動テ−ブル４上に固定されている。ワ−クｗは主軸台２の先端に設けられた３爪スクロ−ルチャック２ａと心押台３を結ぶ軸線上に保持され、ロ−タリ−エンコ−ダ付サ−ボモ−タ６の駆動を受けて前記軸線の回りを回転する。
【００１１】
９はベッド、１０は砥石台、１１は前後移動テ−ブル、１２は砥石主軸、１３は砥石車、１４は安全カバ−、１５は研削液供給ノズル、１６はロ−タリ−エンコ−ダ付サ−ボモ−タ、１７はリニアエンコ−ダ付サ−ボモ−タ、１８は案内レ−ル、１９は制御盤である。砥石車１３を備えた砥石台１０はリニアエンコ−ダ付サ−ボモ−タ１７の駆動を受け、ワ−クの軸線と直交する前後方向（Ｘ軸方向）に移動可能となっている。砥石車１３はロ−タリ−エンコ−ダ付サ−ボモ−タ１６の駆動を受け砥石主軸１２回りに回転可能となっている。
【００１２】
砥石成形機構２０は、ロ−タリ−ドレッサ２１と、粗単石ダイヤモンド刃２２と精単石ダイヤモンド刃２３を備え、これらは前記主軸台２の後面に設けられた砥石成形機構支持ブロック２４に備えられている。２５はロ−タリ−エンコ−ダ付サ−ボモ−タで、ロ−タリ−ドレッサ２１をその軸線２１ａ回りに回転させる。砥石成形機構支持ブロック２４は前記主軸台２と心押台３によりチャックされたワ−クｗの水平軸方向に平行な軸回りに回転するロ−タリ−ドレッサ２１を心押台３に対向する右側に設け、粗単石ダイヤモンド刃２２と精単石ダイヤモンド刃２３を砥石台１０側に向けて備える。
【００１３】
ロ−タリ−ドレッサ２１は、例えば図１の円内拡大図にその外周端を示すように円環状基板２１ｂの外周部より突起したＲ面（図では３ｍｍＲ）を有するＣＢＮ砥石またはダイヤモンド砥石２１ｃを備える。
【００１４】
図１に示すダンベル用ワ−クｗを加工する砥石車１３は、図４に示すようにその外周面の両肩部はＲ面を有し、中央は砥石主軸１２に平行な平面を有している。砥石車１３は砥石成形機構のロ−タリ−ドレッサ２１により両肩部Ｒ面をドレス成形され、外周部平行（ストレ−ト）部を粗単石ダイヤモンド刃２２により粗ドレス成形、精単石ダイヤモンド刃２３により精ドレス成形される。
【００１５】
砥石車１３とロ−タリ−ドレッサ２１、砥石車１３と粗単石ダイヤモンド刃２２または精単石ダイヤモンド刃２３との接触は、砥石台を載置している前後移動テ−ブル９の前後移動と主軸台２を載置している左右移動テ−ブル４の相対的移動により行なう。ロ−タリ−ドレッサ２１による砥石車１３の両肩部Ｒ面（傾斜部）の粗ドレス成形はロ−タリ−ドレッサ２１の回転を遅くするか、左右移動テ−ブル４の移動を速くすることで行われる。言いかえれば、ロ−タリ−ドレッサ２１による砥石車１３の両肩部Ｒ面（傾斜部）の精ドレス成形はロ−タリ−ドレッサ２１の回転を速くするか、左右移動テ−ブル４の移動を遅くすることで行われる。
【００１６】
【発明の効果】
本発明の円筒研削装置は、コンタリング研削砥石車１３の傾斜面をロ−タリ−ドレッサ２１でコンタリング成形し、砥石車のストレ−ト部を粗ドレス単石ダイヤモンド刃２２で粗成形または精ドレス単石ダイヤモンド刃２３で精成形することができるので、砥石車１３のドレス成形を精密に、かつ、複雑なドレス成形プログラミングを用いることなく容易に行うことができる。
【図面の簡単な説明】
【図１】円筒研削装置の平面図である。
【図２】円筒研削装置の正面図である。
【図３】円筒研削装置の左側面図である。
【図４】砥石車を砥石車成形機構で成形する状態を示す図である。
【符号の説明】
１    円筒研削装置
ｗ    ワ−ク
２    主軸台
３      心押台
４      左右移動テ−ブル
１０      砥石台
１１      前後移動テ−ブル
１２      砥石主軸
１３      砥石車
２０      砥石成形機構
２１      ロ−タリ−ドレッサ
２２      粗単石ダイヤモンド刃
２３      精単石ダイヤモンド刃
【図１】
2004255513.tif 000003
【図２】
2004255513.tif 000004
【図３】
2004255513.tif 000005
【図４】
2004255513.tif 000006